(57)【要約】【課題】ユーザの嗜好に合った放送番組をユーザに通知することができ、利便性を向上させた放送記録装置を提供する。【解決手段】番組表データを取得する番組表取得部と、記録媒体に記録された最終回の放送番組と放送時間帯が重複する放送番組を、前記番組表取得部により取得された前記番組表データから検索する番組検索部と、前記番組検索部により検索された放送番組を通知するための通知データを生成する生成部と、を備える放送記録装置としている。【選択図】図１
2015039116.tif 000002
【特許請求の範囲】
【請求項１】
番組表データを取得する番組表取得部と、
記録媒体に記録された最終回の放送番組と放送時間帯が重複する放送番組を、前記番組表取得部により取得された前記番組表データから検索する番組検索部と、
前記番組検索部により検索された放送番組を通知するための通知データを生成する生成部と、を備える放送記録装置。
【請求項２】
前記番組検索部は、前記記録媒体に記録された最終回の放送番組と放送時間帯が重複する新番組および／または特別番組を前記番組表データから検索することを特徴とする請求項１に記載の放送記録装置。
【請求項３】
前記記録媒体に記録された放送番組に関連する１種以上の関連情報について重要度を算出する重要度算出部と、
前記算出された重要度が上位の関連情報に対応する放送番組を前記番組表データから検索する第２番組検索部と、を更に備えることを特徴とする請求項１または請求項２に記載の放送記録装置。
【請求項４】
前記重要度は、放送番組の放送日時に応じた重みづけ数値に基づいて算出されることを特徴とする請求項３に記載の放送記録装置。
【請求項５】
前記通知データは、前記番組検索部により検索された放送番組の情報を一覧表示するための表示データであることを特徴とする請求項１〜請求項４のいずれか１項に記載の放送記録装置。
【請求項６】
前記表示データは、前記番組検索部により検索された複数種類の番組の情報を操作によって切替えて一覧表示するためのものであることを特徴とする請求項５に記載の放送記録装置。
【請求項７】
前記通知データは、前記番組検索部により検索された放送番組を電子番組表において表示するための表示データであることを特徴とする請求項１〜請求項４のいずれか１項に記載の放送記録装置。
【請求項８】
前記表示データは、前記番組検索部により検索された複数種類の番組を前記電子番組表において表示態様を異ならせて表示するためのものであることを特徴とする請求項７に記載の放送記録装置。
【請求項９】
前記通知データによって通知される放送番組に対してメール通知設定を行う設定部と、前記メール通知設定に応じたメール送信を行うメール送信部と、前記メール送信に対する返信があるときに前記メール通知設定がされた放送番組について予約を行う予約部と、を更に備えることを特徴とする請求項１〜請求項８のいずれか１項に記載の放送記録装置。
【請求項１０】
前記メール送信部は、前記メール通知設定がされた放送番組の放送日になるとメール送信を行うことを特徴とする請求項９に記載の放送記録装置。
【請求項１１】
前記メール送信部がメール送信するタイミングを操作により設定可能であることを特徴とする請求項９または請求項１０に記載の放送記録装置。
【請求項１２】
前記番組表データの更新によって、前記番組検索部により新たな放送番組が検索されたときに、前記生成部はその旨を通知するための通知データを生成することを特徴とする請求項１〜請求項１１のいずれか１項に記載の放送記録装置。
【発明の詳細な説明】
【技術分野】
【０００１】
本発明は、放送記録装置に関する。
【背景技術】
【０００２】
従来、放送番組を記録媒体に記録させる放送記録装置が知られている。
【０００３】
例えば、特許文献１には、番組表から番組データを取得して新番組であるかを判定し、もし新番組である場合、番組名をキーワードとして、シリーズ予約設定として自動的に登録する放送記録装置が開示されている。
【０００４】
これにより、ユーザは煩わしい新番組の設定を行うことなく、新番組を確実に録画できるとしている。
【先行技術文献】
【特許文献】
【０００５】
【特許文献１】特開２００７−２８８６８７号公報
【発明の概要】
【発明が解決しようとする課題】
【０００６】
しかしながら、上記特許文献１では、番組表の全番組データについて新番組であるかの判定が行われるので、ユーザがあまり放送を見ない放送時間帯の新番組も含めて予約設定されてしまう。従って、ユーザの嗜好に合わない放送番組まで予約設定されてしまう。
【０００７】
そこで、本発明は、ユーザの嗜好に合った放送番組をユーザに通知することができ、利便性を向上させた放送記録装置を提供することを目的とする。
【課題を解決するための手段】
【０００８】
上記目的を達成するために本発明の放送記録装置は、番組表データを取得する番組表取得部と、記録媒体に記録された最終回の放送番組と放送時間帯が重複する放送番組を、前記番組表取得部により取得された前記番組表データから検索する番組検索部と、前記番組検索部により検索された放送番組を通知するための通知データを生成する生成部と、を備える構成としている。
【０００９】
このような構成によれば、記録された最終回の放送番組の後に放送されるユーザの嗜好に合った番組がユーザに通知されるので、利便性を向上させることができる。
【００１０】
また、前記番組検索部は、前記記録媒体に記録された最終回の放送番組と放送時間帯が重複する新番組および／または特別番組を前記番組表データから検索することとしてもよい。
【００１１】
このような構成によれば、ユーザの嗜好に合った新番組および／または特別番組をユーザに通知できるので、利便性が高い。
【００１２】
また、前記記録媒体に記録された放送番組に関連する１種以上の関連情報について重要度を算出する重要度算出部と、前記算出された重要度が上位の関連情報に対応する放送番組を前記番組表データから検索する第２番組検索部と、を更に備えることとしてもよい。
【００１３】
このような構成によれば、重要度の高い関連情報に対応する放送番組を検索できるので、ユーザへ推奨度の高い放送番組を提示することが可能となる。
【００１４】
また、前記重要度は、放送番組の放送日時に応じた重みづけ数値に基づいて算出されることとしてもよい。
【００１５】
このような構成によれば、例えば、最近流行していると予測される関連情報の重要度を高くし、そのような関連情報に対応する放送番組が検索されるようにすることができるので、最近の流行に沿った放送番組をユーザに提示できる。
【００１６】
また、前記通知データは、前記番組検索部により検索された放送番組の情報を一覧表示するための表示データであることとしてもよい。
【００１７】
このような構成によれば、ユーザの嗜好に合った番組の情報が一覧表示されるので、利便性が高い。
【００１８】
また、前記表示データは、前記番組検索部により検索された複数種類の番組の情報を操作によって切替えて一覧表示するためのものであることとしてもよい。
【００１９】
このような構成によれば、ユーザの嗜好に合った複数種類の番組の情報を操作によって切替えて一覧表示できるので、ユーザにとって番組の情報を確認し易いものとなる。
【００２０】
また、前記通知データは、前記番組検索部により検索された放送番組を電子番組表において表示するための表示データであることとしてもよい。
【００２１】
このような構成によれば、ユーザの嗜好に合った番組を電子番組表において表示できるので、ユーザにとって確認し易いものとなる。
【００２２】
また、前記表示データは、前記番組検索部により検索された複数種類の番組を前記電子番組表において表示態様を異ならせて表示するためのものであることとしてもよい。
【００２３】
このような構成によれば、ユーザの嗜好に合った複数種類の番組を確認し易いものとなる。
【００２４】
また、前記通知データによって通知される放送番組に対してメール通知設定を行う設定部と、前記メール通知設定に応じたメール送信を行うメール送信部と、前記メール送信に対する返信があるときに前記メール通知設定がされた放送番組について予約を行う予約部と、を更に備えることとしてもよい。
【００２５】
このような構成によれば、放送記録装置から離れた場所にユーザが居る場合でも、ユーザがメールに対して返信すれば、ユーザの嗜好に合った番組について予約を行えるので、利便性が高い。
【００２６】
また、前記メール送信部は、前記メール通知設定がされた放送番組の放送日になるとメール送信を行うこととしてもよい。
【００２７】
このような構成によれば、メール通知設定がされた放送番組の放送日に予約が可能となる。
【００２８】
また、前記メール送信部がメール送信するタイミングを操作により設定可能であることとしてもよい。
【００２９】
このような構成によれば、ユーザにとって都合の良いタイミングでメール通知を受けることができる。
【００３０】
また、前記番組表データの更新によって、前記番組検索部により新たな放送番組が検索されたときに、前記生成部はその旨を通知するための通知データを生成することとしてもよい。
【００３１】
このような構成によれば、ユーザの嗜好に合った新たな番組が検索された場合にその旨をユーザに通知できるので、利便性が高い。
【発明の効果】
【００３２】
本発明によると、ユーザの嗜好に合った放送番組をユーザに通知することができ、利便性を向上させることができる。
【図面の簡単な説明】
【００３３】
【図１】本発明の一実施形態に係るハードディスクレコーダのブロック構成図である。
【図２】本発明の一実施形態に係る新番組検索処理に関するフローチャートである。
【図３Ａ】本発明の実施形態に係る放送時間帯の重複する例を示す図である。
【図３Ｂ】本発明の実施形態に係る放送時間帯の重複する例を示す図である。
【図３Ｃ】本発明の実施形態に係る放送時間帯の重複する例を示す図である。
【図４】本発明の一実施形態に係る特別番組検索処理に関するフローチャートである。
【図５】本発明の一実施形態に係るおすすめ番組検索処理に関するフローチャートである。
【図６】本発明の第１実施形態に係るおすすめ一覧画面の一例を示す図である。
【図７】本発明の第２実施形態に係る電子番組表表示の一例を示す図である。
【図８】本発明の第３実施形態に係るハードディスクレコーダのブロック構成図である。
【図９】本発明の第４実施形態に係るポップアップ表示の一例を示す図である。
【発明を実施するための形態】
【００３４】
以下に本発明の一実施形態について図面を参照して説明する。ここでは、放送記録装置の一例として、ハードディスクレコーダを挙げて説明する。本発明の一実施形態に係るハードディスクレコーダ（以下、ＨＤＤレコーダ）の概略構成を示すブロック図を図１に示す。
【００３５】
図１に示すＨＤＤレコーダ１は、チューナ１１と、復調部１２と、分離部１３と、デコード部１４と、映像出力部１５と、ＯＳＤ（On Screen Display）部１６と、音声出力部１７と、システムコントローラ１８と、ＨＤＤ（ハードディスクドライブ）１９と、メモリ２０と、リモコン受光部２１を備えている。チューナ１１にはアンテナ２が接続される。
【００３６】
チューナ１１は、例えば、地上デジタル放送、ＢＳデジタル放送、ＣＳデジタル放送の少なくともいずれかに対応するものであり、アンテナ２から入力された高周波の放送信号から所望のチャンネルの放送信号を選局する。
【００３７】
復調部１２は、チューナ１１において選局されたチャンネルの放送信号に対してデジタル復調及び誤り訂正などの処理を行い、トランスポートストリームを生成し、分離部１３へ出力する。
【００３８】
分離部（デマルチプレクサ）１３は、復調部１２から入力されるトランスポートストリームを映像ストリーム、音声ストリーム、ＳＩ（Service Information）、字幕データ等に分離する。分離部１３の出力は、映像デコーダ１４１、データデコーダ１４２及び音声デコーダ１４３から成るデコード部１４に入力される。
【００３９】
映像デコーダ１４１は、分離部１３から入力される映像ストリームに対してデコードを行い、生成された映像データを映像出力部１５に出力する。
【００４０】
データデコーダ１４２は、分離部１３から入力される字幕データに対してデコードを行い、生成された字幕テキストデータをＯＳＤ部１６へ出力する。また、データデコーダ１４２は、分離部１３から入力されるＳＩに対してデコードも行う。デコード後のＳＩには、ＥＩＴ（Event Information Table）等が含まれている。ＥＩＴは、ＥＰＧ（電子番組表）の作成に用いられる番組表データである。
【００４１】
ＯＳＤ部１６は、メニュー表示、ＥＰＧ表示などのオンスクリーンディスプレイ用の表示データを生成し、映像出力部１５に出力する。また、ＯＳＤ部１６は、データデコーダ１４２から入力される字幕テキストデータに基づき字幕表示データを生成することも可能であり、字幕表示データを映像出力部１５に出力する。
【００４２】
映像出力部１５は、映像デコーダ１４１から入力される映像データにＯＳＤ部１６から入力される表示データを重畳し、重畳後の映像データを映像出力部１５に接続される外部の表示装置（不図示）に適した映像信号に変換し、表示装置に出力する。なお、重畳せずに映像デコーダ１４１から入力される映像データか、ＯＳＤ部１６から入力される表示データのいずれかのみを映像信号に変換して表示装置に出力する場合もある。
【００４３】
上記表示装置は、例えば液晶ディスプレイであり、映像出力部１５から入力される映像信号に基づき映像を表示する。これにより、字幕を含んだ放送番組の映像や、メニュー画面、ＥＰＧなどの各種映像が表示装置に表示される。
【００４４】
音声デコーダ１４３は、分離部１３から入力される音声ストリームに対してデコードを行い、生成された音声データを音声出力部１７へ出力する。音声出力部１７は、音声デコーダ１４３から入力される音声データを音声出力部１７に接続された外部のスピーカ装置（不図示）に適した音声信号に変換し、スピーカ装置へ出力する。スピーカ装置は、音声出力部１７から入力される音声信号に基づき音声を発生させる。これにより、スピーカ装置から放送番組の音声が発生する。
【００４５】
システムコントローラ１８は、ＨＤＤレコーダ１を統括的に制御する制御装置である。また、システムコントローラ１８は、デコード部１４から送られる映像データ及び音声データに対してエンコードを行い、エンコード後のデータをＨＤＤ１９に記録させる。これにより、放送番組をＨＤＤ１９内蔵のハードディスク（記録媒体）に録画できる。
【００４６】
また、システムコントローラ１８は、デコード部１４から取得するＳＩに含まれるＥＩＴをメモリ２０に記憶させる。メモリ２０は、例えば不揮発性メモリで構成され、各種情報が記憶される。ＥＰＧの表示操作があれば、システムコントローラ１８は、メモリ２０に記憶されたＥＩＴに基づきＯＳＤ部１６を制御し、表示装置にＥＰＧを表示させる。
【００４７】
リモコン受光部２１は、リモコン装置（不図示）から操作に応じた赤外線信号等の操作信号を受信し、受信した操作信号をリモコンコードに変換し、リモコンコードをシステムコントローラ１８へ送信する。システムコントローラ１８は、送信されたリモコンコードに応じた制御動作を行う。これにより、ユーザはリモコン装置によってＨＤＤレコーダ１を操作することができる。
【００４８】
＜新番組検索処理＞
次に、上記構成のＨＤＤレコーダ１により行われる本発明の実施形態に係る新番組検索処理について図２のフローチャートを用いて説明する。
【００４９】
ここでＨＤＤ１９には放送番組（映像音声データ）が記録されるが、その際、録画日時、及び放送番組に関する情報（放送日時、番組タイトル、番組詳細情報等）も対応して記録される。
【００５０】
図２のフローチャートが開始されると、まずステップＳ１で、システムコントローラ１８は、最近の例えば４か月以内に録画された放送番組で最終回の放送番組があるかを検索する。最終回の判定は、例えば、番組詳細情報等に「終」「最後」などの所定の文字列が含まれることで行えばよい。
【００５１】
もし最終回の録画番組があれば（ステップＳ１のＹ）、ステップＳ２に進み、システムコントローラ１８は、検索された最終回の録画番組と放送時間帯（放送開始から終了までの期間）が重複する放送番組をメモリ２０に記憶されたＥＩＴ（番組表データ）から検索する。
【００５２】
ここで、放送時間帯が重複する場合の一例としては、例えば図３Ａに示すように放送開始時刻同士と放送終了時刻同士が一致する場合、図３Ｂに示すように放送開始時刻同士と放送終了時刻同士は一致しないが、それぞれの放送時間帯の一部が一致する場合、図３Ｃに示すように放送開始時刻同士と放送終了時刻同士は一致しないが、一方の放送時間帯が他方の放送時間帯の一部に一致する場合が挙げられる。
【００５３】
なお、放送時間帯の重複する部分が小さい場合（例えば一方の放送終了時刻と他方の放送開始時刻が一致する場合）は、除外するようにしても構わない。
【００５４】
また、限定的にはなるが、放送開始時刻同士が一致するか（この場合は、図３Ｂ、図３Ｃに示した例は除外されることとなる）、又は放送開始時刻同士の差が例えば５分以内の放送番組を検索するようにしてもよい。
【００５５】
ステップＳ２でＥＩＴから放送番組が検索された場合（ステップ２のＹ）、ステップＳ３に進み、システムコントローラ１８は、検索された放送番組が新番組か否かを判定する。新番組の判定は、例えば、番組詳細情報等に「新」「第一話」などの所定の文字列が含まれるかで行えばよい。
【００５６】
そして、新番組であった場合は（ステップＳ３のＹ）、ステップＳ４に進み、システムコントローラ１８は、その番組をメモリ２０に登録させる。ここでは、例えば、放送チャンネル、放送日時、番組タイトル、出演者、ジャンル、番組詳細情報等を新番組情報としてメモリ２０に登録する。
【００５７】
ステップＳ３で新番組でなかった場合は（ステップＳ３のＮ）、ステップＳ２に戻り、更にＥＩＴから放送番組を検索する。ステップＳ２で、検索できなかった場合は（ステップＳ２のＮ）、ステップＳ１へ戻り、最終回の録画番組を更に検索する。
【００５８】
もしステップＳ１で検索できなかった場合は（ステップＳ１のＮ）、処理は終了となる（エンド）。
【００５９】
これにより、ユーザにより録画された最終回の放送番組と放送時間帯が重複する新番組の情報が登録されるので、ユーザの嗜好に合った新番組を登録できる。なお、上記ステップＳ１で、最近の例えば４か月以内に録画された録画番組を検索の対象としているのは、放送の１クールは一般的に３か月であり、例えば２クール前のドラマは最終回を録画したが１クール前のドラマは録画しなかった場合に新番組を登録できるからである。
【００６０】
なお、上記ステップＳ２では、放送時間帯が重複して且つ、放送チャンネルが一致する、または類似するものを検索対象としてもよい。ここでの類似するチャンネルとは、放送チャンネル自体は異なるが、放送内容のジャンル（例えばスポーツチャンネル等）が一致するなどである。
【００６１】
＜特別番組検索処理＞
次に、上述した構成のＨＤＤレコーダ１による本発明の実施形態に係る特別番組検索処理について図４のフローチャートを用いて説明する。
【００６２】
図４において、ステップＳ１１及びＳ１２は、先述の実施形態のステップＳ１及びＳ２（図２）と同様であるが、ステップＳ１１では、最終回の放送から特別番組が放送されるまでの期間を考慮し、最近の例えば１か月以内に録画された放送番組を検索対象とすることが望ましい。
【００６３】
そして、図４においては、ステップＳ１３で、特別番組であるか否かを判定する。特別番組の判定は、例えば、番組詳細情報等に「新」「第一話」などの所定の文字列が含まれないかで行えばよい。もし特別番組である場合は（ステップＳ１３のＹ）、ステップＳ１４に進み、その番組の情報をメモリ２０に登録する。
【００６４】
これにより、ユーザにより録画された最終回の放送番組と放送時間帯が重複する特別番組の情報が登録されるので、ユーザの嗜好に合った特別番組を登録できる。
【００６５】
＜おすすめ番組検索処理＞
次に、上述した構成のＨＤＤレコーダ１による本発明の実施形態に係るおすすめ番組検索処理について図５のフローチャートを用いて説明する。
【００６６】
図５のフローチャートが開始されると、まずステップＳ２１で、システムコントローラ１８は、最近例えば４か月以内に録画された放送番組の放送日時、出演者、及びジャンルの各情報を抽出する。
【００６７】
次に、ステップＳ２２で、システムコントローラ１８は、放送日時情報を用いて、出演者、ジャンルのそれぞれについて重要度を算出する。例えば、最近２か月の放送であれば重みづけ数値＝３、最近２〜３か月の放送であれば重みづけ数値＝２、最近３〜４か月の放送であれば重みづけ数値＝１、として、現在に近い放送ほど重みづけ数値を大きくする。そして、出演者、ジャンルのそれぞれについて重みづけ数値の総和をとり、重要度を算出する。これにより、最近頻繁に出演する出演者、放送されるジャンルについては重要度の数値が高くなる。
【００６８】
そして、ステップＳ２３で、システムコントローラ１８は、重要度が上位の出演者・ジャンルの全ての組み合わせについて該当する放送番組をメモリ２０に記憶されたＥＩＴから検索する。例えば、重要度の数値が上位３位以内の出演者・ジャンルの全ての組み合わせは、９通りとなる。
【００６９】
ステップＳ２３で検索された放送番組の情報は、ステップＳ２４でシステムコントローラ１８によりメモリ２０に登録される。
【００７０】
これにより、重要度の高い出演者・ジャンルの放送番組をおすすめ番組として登録できる。
【００７１】
＜第１実施形態＞
以上の各実施形態によって新番組、特別番組、及びおすすめ番組の情報がメモリ２０に登録される。この情報のユーザへの通知についての第１実施形態を以下説明する。
【００７２】
本実施形態では、例えばリモコン装置（不図示）により所定の操作（専用キーを押すなど）がされると、システムコントローラ１８が、メモリ２０に登録された新番組、特別番組、及びおすすめ番組の情報に基づいてＯＳＤ部１６に指令し、ＯＳＤ部１６の作成した表示データによって映像出力部１５に接続された外部の表示装置（不図示）におすすめ一覧画面が表示される。
【００７３】
おすすめ一覧画面では、例えば図６に示すように、タブ６１が表示される。「新番組」、「特別番組」、及び「おすすめ番組」の各タブ６１をリモコン装置の操作などにより選択されることで、選択されたタブ６１に対応した番組の情報が一覧で表示される。図６の例では、「おすすめ番組」のタブ６１が選択されているので、おすすめ番組の情報が一覧表示されている。
【００７４】
番組の情報の一覧からリモコン装置の操作などにより番組を選択可能となっており、番組を選択後に決定操作がされると、選択された番組の録画予約を行うことができる。図６の例では、番組名「いいいい」の番組が選択されており、決定操作がされるとこの番組の録画予約がなされる。
【００７５】
本実施形態のおすすめ一覧画面によれば、ユーザの嗜好に合った新番組や特別番組と、ユーザへの推奨度が高いおすすめ番組をタブによって切替えてユーザに通知することができ、録画予約の操作性が向上する。
【００７６】
なお、おすすめ一覧画面において番組を選択した場合、録画予約と視聴予約のいずれかを選択できるようにしてもよい（ポップアップにより選択画面を表示させるなど）。
【００７７】
また、録画予約などした場合にその番組の情報はおすすめ一覧画面から表示を削除したり、またはその番組の情報に予約済であることを示すマーク等を付与してもよい。
【００７８】
また、上記番組検索処理に関する各実施形態において、新番組、特別番組及びおすすめ番組を登録する際に、その番組の重要度も併せて登録させておき、おすすめ一覧画面においては重要度の高い順に新番組、特別番組及びおすすめ番組の情報を一覧表示させてもよい。または、おすすめ一覧画面において放送日時の順に表示させた番組の情報に、重要度のランキングを表す画像（数字など）を付与して表示してもよい。
【００７９】
ここで、上記重要度は、例えば上記おすすめ番組検索処理の実施形態において算出される出演者・ジャンルそれぞれの重要度を考慮し、対象の新番組、特別番組またはおすすめ番組の出演者・ジャンルのそれぞれの重要度を総和して算出すればよい。
【００８０】
＜第２実施形態＞
次に、本発明の第２実施形態について説明する。本実施形態では、例えばリモコン装置（不図示）により所定の操作（専用キーを押すなど）がされると、システムコントローラ１８が、メモリ２０に記憶されたＥＩＴ、及び登録された新番組、特別番組、及びおすすめ番組の情報に基づいてＯＳＤ部１６に指令し、ＯＳＤ部１６の作成した表示データによって映像出力部１５に接続された外部の表示装置（不図示）に電子番組表が表示される。
【００８１】
表示された電子番組表の一例を図７に示す。図７では、放送日を選択するためのタブ７１が表示され、リモコン装置などにより選択されたタブ７１の放送日に応じたチャンネル、放送時間帯ごとの番組情報が表示される。
【００８２】
更に、電子番組表においては、メモリ２０に登録された新番組、特別番組、及びおすすめ番組に対応した箇所が、例えば新番組、特別番組、及びおすすめ番組の各種別に応じた異なる色で表示される。図７の例では、ハッチング部７２の箇所が新番組を表す色（例えば赤色）で表示され、ハッチング部７３の箇所がおすすめ番組を表す色（例えば青色）で表示される。
【００８３】
そして、このような電子番組表において、リモコン装置の操作などにより番組を選択可能であり、番組選択後、決定操作がされると録画予約が行われる。
【００８４】
このように本実施形態であれば、電子番組表において、ユーザの嗜好に合った新番組や特別番組と、ユーザへの推奨度が高いおすすめ番組を例えば色分けによってユーザに通知することができ、録画予約の操作性が向上する。
【００８５】
なお、本実施形態においても、電子番組表において番組を選択した場合、録画予約と視聴予約のいずれかを選択できるようにしてもよい（ポップアップにより選択画面を表示させるなど）。
【００８６】
また、録画予約などした場合にその番組の箇所の色は消去したり、またはその番組の箇所に予約済であることを示すマーク等を付与してもよい。
【００８７】
また、上記第１実施形態の変形例として述べたように、新番組、特別番組及びおすすめ番組を登録する際に、その番組の重要度も併せて登録させておき、重要度のランキング（例えば新番組、特別番組、おすすめ番組の種別ごとのランキング）を示す画像（数字など）を電子番組表の該当する番組に付与してもよい。
【００８８】
＜第３実施形態＞
次に、本発明の第３実施形態について説明する。本実施形態に係るＨＤＤレコーダ１’のブロック構成を図８に示すが、本構成では図１の構成に加えて、ネットワークインタフェース２２を備えている。ネットワークインタフェース２２は、インターネット８１に接続され、インターネット８１を介してサーバ装置８２と通信を行う。
【００８９】
本実施形態では、上記第２実施形態のように表示された電子番組表において、リモコン装置の操作などにより番組が選択され、決定操作がされると、システムコントローラ１８は、選択された番組にメール通知設定を行う。
【００９０】
メール通知の通知タイミングは、ユーザにより設定できる。例えば、電子番組表が表示されたタイミングでポップアップなどが表示され、メール通知時刻を選択設定できるようにしてもよい。この場合は、メール通知設定を行う番組に共通の設定となる。
【００９１】
または、電子番組表において番組を選択して、決定操作されるとポップアップなどが表示され、メール通知時刻を選択設定できるようにしてもよい。この場合は、選択された番組ごとにメール通知時刻を設定できる。
【００９２】
そして、システムコントローラ１８は、メール通知設定がされた番組の放送日において設定されたメール通知時刻になると、ネットワークインタフェース２２を用いてインターネット８１を介してサーバ装置８２にメールを送る。サーバ装置８２は、送られたメールをスマートフォンや携帯電話等のモバイル機器（不図示）へ転送する。
【００９３】
そして、モバイル機器においてメール返信操作がされると、返信メールがサーバ装置８２、インターネット８１、及びネットワークインタフェース２２を介してシステムコントローラ１８に送信される。システムコントローラ１８は、返信メールを受信すると、メール通知設定がされた番組を録画予約する。
【００９４】
このような本実施形態によれば、ＨＤＤレコーダ１’から離れた場所にユーザが居た場合でも、モバイル機器によりメールに返信すれば、録画予約を行えるので利便性が向上する。なお、メールに返信しなければ、録画予約はされないので、予約しない選択も可能である。
【００９５】
なお、メールを返信する際に録画予約か視聴予約を選択できるようにし、システムコントローラ１８が選択された予約を行ってもよい。
【００９６】
また、上記第１実施形態のようなおすすめ一覧画面において選択された番組に対して上記と同様にメール通知設定を行うようにしてもよい。
【００９７】
＜第４実施形態＞
番組検索処理に関する上記各実施形態において、新番組、特別番組、及びおすすめ番組が検索されるが、放送により送られメモリ２０に記憶されるＥＩＴは更新される。本実施形態では、更新されたＥＩＴに基づいて検索したときに、新番組、特別番組、及びおすすめ番組が新たに検索されて登録された場合、ユーザに通知する。
【００９８】
例えば、図９に示すように、電子番組表が表示されるタイミングでポップアップ表示により番組が新たに登録された旨を通知する。この際、図９に示すように、新番組、特別番組、及びおすすめ番組のいずれの種別が新たに登録されたのか通知するとよい。
【００９９】
なお、この場合、電子番組表において、新たに登録された番組については所定の専用の色で表示するようにしてもよい。
【０１００】
また、おすすめ番組一覧画面（例えば図６）において、新たに登録された番組を区別して一覧表示してもよい。例えば、図６の例であれば、或るタブ６１が選択された状態で、新たに登録された番組とそうでない番組とを異なる色の文字で表示するなどである。または、新たに登録された番組については専用のタブを設け、そのタブを選択すると新たに登録された番組の一覧が表示されるようにしてもよい。
【０１０１】
または、ＨＤＤレコーダ１の電源がオンとされた起動時に、起動画面の一部（例えば画面の最も下方）にポップアップ表示により新たに番組が登録された旨を通知してもよい。
【０１０２】
以上、本発明の実施形態について説明したが、本発明の趣旨の範囲内であれば、実施形態は種々の変形が可能である。
【０１０３】
なお、番組検索処理に関する上記３つの各実施形態については、少なくともいずれか１つを実施すればよい。即ち、各実施形態単独での実施も可能である。この実施態様に応じて、おすすめ一覧画面や電子番組表での表示形態も変化する。
【符号の説明】
【０１０４】
１、１’  ＨＤＤレコーダ（ハードディスクレコーダ）
２  アンテナ
１１  チューナ
１２  復調部
１３  分離部
１４  デコード部
１４１  映像デコーダ
１４２  データデコーダ
１４３  音声デコーダ
１５  映像出力部
１６  ＯＳＤ（オンスクリーンディスプレイ）部
１７  音声出力部
１８  システムコントローラ
１９  ＨＤＤ（ハードディスクドライブ）
２０  メモリ
２１  リモコン受光部
２２  ネットワークインタフェース
８１  インターネット
８２  サーバ装置
【図１】
2015039116.tif 000003
【図２】
2015039116.tif 000004
【図３Ａ】
2015039116.tif 000005
【図３Ｂ】
2015039116.tif 000006
【図３Ｃ】
2015039116.tif 000007
【図４】
2015039116.tif 000008
【図５】
2015039116.tif 000009
【図６】
2015039116.tif 000010
【図７】
2015039116.tif 000011
【図８】
2015039116.tif 000012
【図９】
2015039116.tif 000013